(57)【要約】【課題】各回収地点から回収した各廃棄物を効率的に資源化処理を実施する。【解決手段】各回収地点１に排出された各廃棄物を回収して、予め設定された複数カ所の中継拠点のうち少なくとも一カ所の中継拠点を経由して、各廃棄物を資源化施設５へ搬送し、この資源化施設５において搬入された各廃棄物に対する資源化処理を実施する廃棄物の資源化システムである。そして、複数カ所の中継拠点は、自己が管轄する各回収地点から回収された各廃棄物の中継のみを行う一般中継施設３が設置された中継拠点２ａと、自己が管轄する各回収地点から回収された各廃棄物及び一般中継施設３から搬入された各廃棄物を選別梱包して、選別梱包した各廃棄物を資源化施設５へ向けて搬出する選別梱包中継施設４が設置された中継拠点２ｂとを含む。【選択図】    図１
2004189400.tif 000002
【特許請求の範囲】
【請求項１】
各回収地点に排出された各廃棄物を回収して、予め設定された複数カ所の中継拠点のうち少なくとも一カ所の中継拠点を経由して、前記各廃棄物を資源化施設へ搬送し、この資源化施設において搬入された各廃棄物に対する資源化処理を実施する廃棄物の資源化システムにおいて、
前記複数カ所の中継拠点は、
自己が管轄する各回収地点から回収された各廃棄物の中継のみを行う一般中継施設が設置された中継拠点と、
自己が管轄する各回収地点から回収された各廃棄物及び前記一般中継施設から搬入された各廃棄物を選別梱包して、選別梱包した各廃棄物を前記資源化施設へ向けて搬出する選別梱包中継施設が設置された中継拠点と
を含むことを特徴とする廃棄物の資源化システム。
【請求項２】
前記一般中継施設は、前記各回収地点を回収巡回する小型回収車が回収した各廃棄物を搬入するための回収車受入ヤードと、搬入された各廃棄物をコンテナに詰替えるための詰替えヤードと、各廃棄物が収納されたコンテナを一時保管するための一時保管ヤードと、各廃棄物が収納されたコンテナをコンテナ車に搭載して前記選別梱包中継施設へ向けて搬出するためのコンテナ車搬出ヤードとを備え、
前記選別梱包中継施設は、前記各回収地点を回収巡回する小型回収車が回収した各廃棄物を搬入するための回収車受入ヤードと、前記一般中継施設からコンテナ車で搬送されたコンテナを搬入するためのコンテナ車受入ヤードと、小型回収車及びコンテナ車で搬入された各廃棄物を選別梱包してコンテナに収納するための選別梱包ヤードと、選別梱包された各廃棄物を収納したコンテナを一時保管するための一時保管ヤードと、選別梱包された各廃棄物を収納したコンテナをコンテナ車に搭載して前記資源化施設へ向けて搬出するためのコンテナ車搬出ヤードとを備えた
ことを特徴とする請求項１記載の廃棄物の資源化システム。
【請求項３】
前記選別梱包中継施設は、自己が管轄する各回収地点から小型回収車で回収された可燃ゴミをコンテナに詰替えてコンテナ車で焼却施設へ向けて搬出することを特徴とする請求項１又は２記載の廃棄物の資源化システム。
【請求項４】
前記選別梱包中継施設は、前記一般中継施設からコンテナ車で搬送され、各廃棄物が抜取られた後の空のコンテナをコンテナ車に搭載して搬送元の一般中継施設へ向けて搬出することを特徴とする請求項１から３のいずれか１項記載の廃棄物の資源化システム。
【発明の詳細な説明】
【０００１】
【発明の属する技術分野】
本発明は、各回収地点に排出された各廃棄物を回収して資源化施設へ搬送し、この資源化施設において各廃棄物に対する資源化処理を実施する廃棄物の資源化システム関する。
【０００２】
【従来の技術】
一般廃棄物、産業廃棄物などの廃棄物中に廃プラスチックが多く存在するが、その廃プラスチックの中からびんや缶を分離して収集し、塩素含有プラスチックを除去した後、原料や燃料として有効に再利用する資源化技術が注目されており、以下に述べるように実施の方向に進んでいる。
【０００３】
従来の廃棄物資源化方法は、一般廃棄物からびん、缶、プラスチックボトルおよびプラスチック固形物等の固体系プラスチックと、フィルム系プラスチックとを分離収集し、びんは分別し、缶はスチール缶とアルミ缶とに選別し、固体系プラスチックから塩素含有プラスチックを乾式分離により除去し、フィルム系プラスチックから塩素含有プラスチックを湿式分離により除去することにより、再利用するための資源化が行われている（例えば、特許文献１参照）。
【０００４】
ところで、廃棄物中に含まれる例えば廃プラスチックは、資源化施設で熱処理などの適宜な再生処理を施すことにより、例えば高炉原料、油、ＰＥＴ粒原料その他の資源に再利用することが可能であり、またびん及び缶についても同様に再処理が可能である。しかし、運転スケジュール、廃棄物量、廃プラスチックの再利用形態等の要因から、パッカー車などの小型回収車で収集される廃棄物をそのまま資源化工場に搬入して直ちに再生処理することが難しく、再生処理前に別の保管場所を選定し一旦貯留しておく必要がある。これは、資源化工場内であっても同様であって、再生処理前に工場内のある場所に一旦貯留しておく必要がある。
【０００５】
そこで、パッカー車などの小型回収車で収集される廃棄物を選別梱包して一時貯留したのち、別の場所に設置された資源化施設へ搬入するための選別梱包貯留施設が提唱されている（例えば、特許文献２参照）。
【０００６】
一般に、廃棄物に対する資源化処理を実施する資源化施設は、回収地点が多く設定された住宅地域や商業地域から離れた郊外や工場地域に建設される場合が多い。この場合、各家庭や各事業所が自己の近くに設置された各回収地点は大型車が通行できない道路端に設定されている場合が多い。したがって、例えば、ハッカー車と呼ばれる容積で８ｍ３程度の荷物を積載できる小型回収車で、各回収地点を巡回して、各廃棄物を収集している。
【０００７】
【特許文献１】
特開平１０―５７９２９号公報
【０００８】
【特許文献２】
特開２００２―１１９９２３号公報
【０００９】
【発明が解決しようとする課題】
しかしながら、この小型回収車で回収された廃棄物を直接遠方に位置する資源化施設へ搬送することは非常に非効率である。
【００１０】
そこで、例えば、人口３０万人を越える地域においては、各小型回収車で回収された廃棄物を直接遠方の資源化施設へ搬送することなく、地域内に複数の中継拠点を設け、この各中継拠点において、各小型回収車で回収された廃棄物を例えば容積で２０ｍ３程度の荷物を積載できる大型のコンテナ車へ詰替えて、この大型のコンテナ車で廃棄物を資源化施設へ搬送することが考えられる。
【００１１】
しかし、このこの大型のコンテナ車で資源化施設へ搬入された各廃棄物は、各回収地点で収集された状態のままであり、そのままでは、資源化処理は実施できないので、前述したように、再生処理前に選別梱包して一旦別の場所に保管する必要がある。
【００１２】
しかし、この資源化施設内に廃棄物に対する選別梱包及び一時保管の場所を確保したり、資源化施設の近傍に廃棄物に対する選別梱包及び一時保管の場所を確保することが困難な場合が多い。
【００１３】
さらに、資源化施設以外の場所においては、この選別梱包及び一時保管の場所から資源化施設への分別梱包された廃棄物の輸送の問題が生じる。
【００１４】
本発明はこのような事情に鑑みてなされたものであり、最終の資源化施設における処理負担を軽減できると共に、別途、廃棄物の選別梱包及び一時保管の場所を確保することなく、少ない費用で効率的に、各回収地点で回収された廃棄物を最終の資源化施設で資源化処理を実施できる廃棄物の資源化システムを提供することを目的とする。
【００１５】
【課題を解決するための手段】
本発明は、各回収地点に排出された各廃棄物を回収して、予め設定された複数カ所の中継拠点のうち少なくとも一カ所の中継拠点を経由して、各廃棄物を資源化施設へ搬送し、この資源化施設において搬入された各廃棄物に対する資源化処理を実施する廃棄物の資源化システムに適用される。
【００１６】
そして、上記課題を解消するために、本発明の廃棄物の資源化システムにおいては、複数カ所の中継拠点は、自己が管轄する各回収地点から回収された各廃棄物の中継のみを行う一般中継施設が設置された中継拠点と、自己が管轄する各回収地点から回収された各廃棄物及び一般中継施設から搬入された各廃棄物を選別梱包して、選別梱包した各廃棄物を資源化施設へ向けて搬出する選別梱包中継施設が設置された中継拠点とを含むようにしている。
【００１７】
このように構成された廃棄物の資源化システムにおいては、複数の中継拠点のうちの少なくとも一つの中継拠点には、自己が管轄する各回収地点から回収された各廃棄物及び一般中継施設から搬入された各廃棄物を選別梱包して資源化施設へ向けて搬出する選別梱包中継施設が設置されている。
【００１８】
このように、各廃棄物を選別梱包する機能を有した選別梱包中継施設を設けることによって、専用の廃棄物の選別梱包及び一時保管の場所を確保する必要がない。したがって、少ない費用で効率的に、各回収地点で回収された廃棄物を最終の資源化施設で資源化処理を実施できる。
【００１９】
さらに、別の発明は、上述した発明の廃棄物の資源化システムにおいて、一般中継施設は、各回収地点を回収巡回する小型回収車が回収した各廃棄物を搬入するための回収車受入ヤードと、搬入された各廃棄物をコンテナに詰替えるための詰替えヤードと、各廃棄物が収納されたコンテナを一時保管するための一時保管ヤードと、各廃棄物が収納されたコンテナをコンテナ車に搭載して選別梱包中継施設へ向けて搬出するためのコンテナ車搬出ヤードとを備えている。
【００２０】
さらに、選別梱包中継施設は、各回収地点を回収巡回する小型回収車が回収した各廃棄物を搬入するための回収車受入ヤードと、一般中継施設からコンテナ車で搬送されたコンテナを搬入するためのコンテナ車受入ヤードと、小型回収車及びコンテナ車で搬入された各廃棄物を選別梱包してコンテナに収納するための選別梱包ヤードと、選別梱包された各廃棄物を収納したコンテナを一時保管するための一時保管ヤードと、選別梱包された各廃棄物を収納したコンテナをコンテナ車に搭載して資源化施設へ向けて搬出するためのコンテナ車搬出ヤードとを備えている。
【００２１】
このように構成された廃棄物の資源化システムにおいては、小型回収車で各回収地点から回収された各廃棄物は一般中継施設でコンテナに詰替えられたのちコンテナ車で選別梱包中継施設へ搬入され、この選別梱包中継施設で選別梱包され、再度、コンテナに詰替えられて、コンテナ車で資源化施設へ搬送される。
【００２２】
なお、選別梱包中継施設が管轄する各回収地点から回収された廃棄物はこの選別梱包中継施設で選別梱包され、コンテナに詰替えられて、コンテナ車で資源化施設へ搬送される。
【００２３】
また、別の発明に係わる廃棄物の資源化システムにおける選別梱包中継施設は、自己が管轄する各回収地点から小型回収車で回収された可燃ゴミをコンテナに詰替えてコンテナ車で焼却施設へ向けて搬出する。
【００２４】
このように、小型回収車で回収された可燃ゴミをコンテナに詰替えてコンテナ車で焼却施設へ搬送することによって、焼却施設が遠方に存在することによる可燃ゴミの輸送効率を向上できる。
【００２５】
さらに、別の発明に係わる廃棄物の資源化システムにおける選別梱包中継施設は、一般中継施設からコンテナ車で搬送され、各廃棄物が抜取られた後の空のコンテナをコンテナ車に搭載して搬送元の一般中継施設へ向けて搬出する。
【００２６】
【発明の実施の形態】
以下、本発明の一実施形態を図面を用いて説明する。
図１は本発明の実施形態に係る廃棄物の資源化システムが適用される例えば一つの市や複数の市を含む一定地域内における各施設の配置図である。
【００２７】
この地域内には、２種類の中継拠点２ａ、２ｂが設置されている。一方の中継拠点２ａには、自己が管轄する各回収地点１から回収された各廃棄物の中継のみを行う一般中継施設３が設置されている。他方の中継拠点２ａには、自己が管轄する各回収地点１から回収された各廃棄物及び一般中継施設３から搬入された各廃棄物を選別梱包して、選別梱包した各廃棄物を資源化施設５へ向けて搬出する選別梱包中継施設４が設置されている。この各選別梱包中継施設４は、一般中継施設３に比較して、資源化施設５に近い位置に設置されている。
【００２８】
さらに、この地域内には、各回収地点１で回収された各可燃ゴミを焼却するための焼却施設６が設置されている。
【００２９】
各回収地点１には、各家庭や各事業所から例えば１ヶ月の内の予め定められた日時に、びん・缶、廃プラスチック等に分別された資源化可能の各廃棄物が排出される。この各回収地点１に排出された各廃棄物は、例えば、ハッカー車と呼ばれる容積で８ｍ３程度の荷物を積載できる各回収地点１を巡回する小型回収車で回収されて、各中継拠点２ａ、２ｂの一般中継施設３、選別梱包中継施設４へ搬入される。
【００３０】
一般中継施設３から選別梱包中継施設４への廃棄物の輸送、及び選別梱包中継施設４から資源化施設５への選別梱包された廃棄物の輸送は、例えば容積で２０ｍ３程度の荷物を積載できる大型のコンテナ車で搬送される。
【００３１】
なお、一般中継施設３が管轄する各回収地点１に、上述した資源化される各廃棄物と異なる日時に排出された資源化されない可燃ゴミは、別の小型回収車８が回収して、焼却施設６へ搬送する。また、選別梱包中継施設４が管轄する各回収地点１に、上述した資源化される各廃棄物と異なる日時に排出された資源化されない可燃ゴミは、別の小型回収車８が回収して、選別梱包中継施設４でコンテナ車に積み替えられて焼却施設６へ搬送される。
【００３２】
図２は、一方の各中継地点２ａに設置された一般中継施設３の平面図である。この一般中継施設３内には、各回収地点１を巡回してびん・缶、廃プラスチック等に分別された各廃棄物を回収した小型回収車８が、回収した各廃棄物を搬入するための回収車受入ヤード７、各廃棄物が収納されたコンテナをコンテナ車９へ搭載して選別梱包中継施設４へ向けて搬出するためのコンテナ車搬出ヤード１０が設けられている。
【００３３】
さらに、一般中継施設３内には、搬入された各廃棄物をコンテナに詰替えるための詰替えヤード１１と、各廃棄物が収納されたコンテナを一時保管するための一時保管ヤード１２とが設けられている。
【００３４】
図３は、各一般中継施設３の概略構成を示す透視斜視図である。回収車受入ヤード７に入った小型回収車８に収納された廃棄物は詰替えヤード１１において、コンテナ１３に詰替えられる。廃棄物が収納された各コンテナ１３は、一時保管ヤード１２に設置された立体式貯留施設１６における指定された棚の位置に、垂直リフター１４、及び水平移動機１５で移動されて、該当棚に収納される。
【００３５】
立体式貯留施設１６の各棚に収納された各コンテナ１３は、垂直リフター１４、及び水平移動機１５で、詰替えヤード１１に降されて、コンテナ車搬出ヤード１０でコンテナ車９に搭載されて、選別梱包中継施設４へ向けて搬出される。
【００３６】
なお、小型回収車８から廃棄物が詰替えられた各コンテナ１３は、一時保管ヤード１２に一時保管されることなく、直ちに、コンテナ車搬出ヤード１０でコンテナ車９に搭載されて、選別梱包中継施設４へ向けて搬出される場合もある。
【００３７】
図４は、他方の各中継地点２ｂに設置された選別梱包中継施設４の平面図である。
この選別梱包中継施設４内には、自己が管轄する各回収地点１を回収巡回する小型回収車８が回収したびん・缶、廃プラスチック等に分別された各廃棄物を搬入するための回収車受入ヤード１７と、各一般中継施設３からコンテナ車９で搬送されたびん・缶、廃プラスチック等に分別された廃棄物が収納されたコンテナ１３を搬入するためのコンテナ車受入ヤード１８と、選別梱包された各廃棄物を収納したコンテナ１３をコンテナ車９に搭載して資源化施設５へ向けて搬出するためのコンテナ車搬出ヤード１９と、空になったコンテナ１３をコンテナ車９に搭載して搬送元の一般中継施設３へ向けて搬出するための空コンテナ車搬出ヤード２０とが設けられている。
【００３８】
なお、回収車受入ヤード１７には、資源化対象の廃棄物を収納した小型回収車８の他に、自己が管轄する各回収地点１からハッカー車等の小型回収車８で回収された可燃ゴミが搬入される。この複数の小型回収車８で回収された可燃ゴミはまとめてコンテナ１３に詰替られて、コンテナ車搬出ヤード１９からコンテナ車９に搭載されて焼却施設６へ向けて搬出される。
【００３９】
さらに、この選別梱包中継施設４内には、小型回収車８及びコンテナ車９で搬入されたびん・缶の廃棄物を保管容器に収納して一時保管するびん・缶用一時保管ヤード２３ａ、同じく小型回収車８及びコンテナ車９で搬入された廃プラスチックの廃棄物を保管容器に収納して一時保管する廃プラ用一時保管ヤード２３ｂが設けられている。
【００４０】
さらに、この選別梱包中継施設４内には、びん・缶用一時保管ヤード２３ａに保管されたびん・缶の廃棄物を資源として利用可能な状態に選別するためのびん・缶用選別ヤード２１ａ、廃プラ用一時保管ヤード２３ｂに保管された廃プラスチックの廃棄物を資源として利用可能な状態に分別するための廃プラ用選別ヤード２１ｂ、及び選別された各種の廃棄物を梱包する梱包ヤード２２が設けられている。
【００４１】
さらに、この選別梱包中継施設４内には、選別され梱包された各廃棄物を保管容器に収納して一時保管する梱包品一時保管ヤード２４、及び、コンテナや収納容器を各ヤードに移動するための移動ヤード２５が設けられている。
【００４２】
図５は、各選別梱包中継施設４の概略構成を示す透視斜視図である。びん・缶用一時保管ヤード２３ａ及び廃プラ用一時保管ヤード２３ｂには共通した立体式貯留設備２６が設けられ、梱包品一時保管ヤード２４には梱包品貯留設備２９が設けられている。立体式貯留設備２６の各棚２６ａには未選別の各廃棄物を収納した保管容器２７が収納される。また、梱包品貯留設備２９の各棚２９ａには選別梱包済みの各廃棄物を収納した保管容器２７が収納される。
【００４３】
立体式貯留設備２６及び梱包品貯留設備２９の各棚２６ａ、２９ａに対する各保管容器２７の出入作業は、移動ヤード２５に構築された垂直リフター２８ａ、及び水平移動機２８ｂを用いて遠隔操作で実施される。
【００４４】
びん・缶選別ヤード２１ａには、びん・缶選別設備３０が設置されている。このびん・缶用選別設備３０は、移動ヤード２５の垂直リフター２８ａ及び水平移動機２８ｂで、立体式貯留設備２６から搬出されたびん・缶用の保管容器２７を受け取って開蓋後に当該保管容器２７を傾斜させることによりびん・缶を出力する受け台３１と、この受け台３１から受け取ったびん・缶を所要の速度で搬送する第１の選別用搬送装置３２と、この選別用搬送装置３２から流れてくる例えばスチール缶を吸着し所要の方向に搬出し離脱させる磁気選別装置３３と、この磁気選別装置３３による選別後のびん・缶から軽量物であるアルミ缶等を取出す風力選別装置３４と、この風力選別装置３４で選別された軽量物の中に例えば複数種類の異なる廃棄物、例えばアルミ缶やＰＥＴボトルのごとき廃棄物が存在する場合にさらに反射光などを利用して選別する選別装置３５と、風力選別装置３４による選別後のびんを篩にかけて寸法分けするサイズ分け選別装置３６と、サイズ分けされた各種類のびんについてそれぞれ光などを利用して色分け選別する複数の色分け選別装置３７とで構成されている。
【００４５】
なお、これら選別装置３３〜３７は予め所定の高さに設定しておけば、選別後の各びん、各缶の各廃棄物をそのまま保管容器２７に入れて梱包可能となる。選別梱包された各廃棄物が収納された保管容器２７は移動ヤード２５の垂直リフター２８ａ及び水平移動機２８ｂで梱包品貯蔵設備２９の指定された棚２９ａへ格納される。
【００４６】
一方、廃プラ用選別ヤード２１ｂには廃プラ用選別設備４０が設置されている。この廃プラ用選別設備４０は、移動ヤード２５の垂直リフター２８ａ及び水平移動機２８ｂで、立体式貯留設備２６から搬出された廃プラ用の保管容器２７を受け取って所定方向に搬送する選別用搬送装置４１、廃プラが収納された包装用ごみ袋を破る破袋機４２、及びこの破袋機４２の下方に配設され、廃プラスチックスを資源として利用可能な状態に選別する選別装置４３等で構成される。
【００４７】
具体的には、選別装置４３は、搬入された廃プラスチックスを、ボトル類プラスチックスとフイルム類プラスチックスとに選別し、ボトル類を含む高重量系プラスチック搬送ルート４３ａと軽重量系プラスチックであるフイルム類プラスチック搬送ルート４３ｂとに分け、所要の場所まで搬送し、人手による選別作業により、最終的にＰＥＴボトルプラスチックとＰＥＴボトル以外のボトルを含むフイルム系プラスチックとに選別し、梱包ヤード２２に設置されたそれぞれ対応する梱包機４４ａ、４４ｂに導く。
【００４８】
梱包ヤード２２に設置された各梱包機４４ａ、４４ｂは、一般的に使用されている梱包機、つまり圧縮および固縛可能なＰＥＴボトル梱包機その他のプラスチック梱包機が用いられる。各梱包機４４ａ、４４ｂは、選別梱包した各廃プラスチックを保管容器２７に収納する。
【００４９】
選別梱包された各廃プラスチックを収納した保管容器２７は、移動ヤード２５へ搬送され、垂直リフター２８ａ及び水平移動機２８ｂで梱包品貯留設備２９の指定された棚２９ａへ格納される。
【００５０】
次に、この選別梱包中継施設４における搬入された廃棄物に対する選別梱包、一時保管、及び搬出の各処理動作を図６に示す作業工程手順図を用いて説明する。
【００５１】
回収車受入ヤード１７へ小型回収車８で搬入された可燃ゴミは、受入工程４５で小型回収車８からコンテナ１３に詰め替えられて、コンテナ車９に搭載されたコンテナ車搬出ヤード１９から焼却施設６へ搬送される。なお、可燃ゴミは小型回収車８からコンテナ１３に詰め替られる過程で圧縮工程２６ａが入る場合もある。さらに、可燃ゴミが収納されたコンテナ１３は、一時保管工程４７にて、立体式貯留設備２６に一時保管されたのち、コンテナ車９に搭載されたコンテナ車搬出ヤード１９から焼却施設６へ搬送される場合もある。
【００５２】
回収車受入ヤード１７へ小型回収車８で搬入された廃プラスチックスの廃棄物は、受入工程４５で小型回収車８から保管容器２７へ詰め替えられて、一時保管工程４７にて、立体式貯留設備２６に一時保管される。この場合、廃プラスチックスの廃棄物は小型回収車８から保管容器２７に詰め替られる過程で圧縮工程２６ｂが入る場合もある。
【００５３】
また、コンテナ車受入ヤード１９へ各一般選択施設３からコンテナ車９で搬入された廃プラスチックスの廃棄物は、受入工程４５でコンテナ車９から保管容器２７へ詰め替えられて、一時保管工程４７にて、立体式貯留設備２６に一時保管される。
【００５４】
一時保管工程４７を経た、廃プラスチックスの廃棄物は次の選別工程４８で、廃プラ用選別装置４０においてＰＥＴボトルプラスチックとＰＥＴボトル以外のボトルを含むフイルム系プラスチックとに選別されたのち、圧宿梱包工程４９ａで圧宿梱包されて、梱包品一時保管工程５０で梱包品貯留設備２９に一時保管される。その後、この梱包品貯留設備２９から取出された保管容器２７の選別梱包された廃棄物は、保管容器２７のまま又はコンテナ１３に詰め替られて、コンテナ車９に搭載されて、資源化施設５へ向けて搬出される。
【００５５】
なお、圧宿梱包工程４９ａで圧宿梱包された廃棄物は、梱包品貯留設備２９に一時保管されずに、そのまま、保管容器２７のまま又はコンテナ１３に詰め替られて、コンテナ車９に搭載されて、資源化施設５へ向けて搬出される場合もある。
【００５６】
回収車受入ヤード１７へ小型回収車８で搬入されたびん・缶の廃棄物は、受入工程４５で小型回収車８から保管容器２７へ詰め替えられて、一時保管工程４７にて、立体式貯留設備２６に一時保管される。また、コンテナ車受入ヤード１９へ各一般選択施設３からコンテナ車９で搬入されたびん・缶の廃棄物は、受入工程４５でコンテナ車９から保管容器２７へ詰め替えられて、一時保管工程４７にて、立体式貯留設備２６に一時保管される。
【００５７】
一時保管工程４７を経た、びん・缶の廃棄物は次の選別工程４８で、びん・缶用選別設備３０においてスチール缶、アルミ缶、複数色のびん、に選別されたのち、梱包工程４９ｂで梱包されて、梱包品一時保管工程５０で梱包品貯留設備２９に一時保管される。その後、この梱包品貯留設備２９から搬出された保管容器２７の選別梱包された廃棄物は、保管容器２７のまま又はコンテナ１３に詰め替られて、コンテナ車９に搭載されて、資源化施設５へ向けて搬出される。
【００５８】
なお、梱包工程４９ｂで梱包された廃棄物は、梱包品貯留設備２９に一時保管されずに、そのまま、保管容器２７のまま又はコンテナ１３に詰め替られて、コンテナ車９に搭載されて、資源化施設５へ向けて搬出される場合もある。
【００５９】
なお、各廃棄物は、梱包された状態のまま、コンテナ車９ではなくて、通常の搬送車の荷台に搭載された状態で、資源化施設５へ向けて搬出される場合もある。
【００６０】
さらに、各一般選択施設３からコンテ車９で搬入されたコンテナ１３は、受入工程４５で、収納された廃棄物が保管容器２７へ移し替えられると空になる。この空のコンテナ１３は、コンテナ車９に搭載されて、空コンテナ車搬出ヤード２０から、搬送元の一般選択施設３へ向けて搬出される。
【００６１】
このように構成された廃棄物の資源化システムにおいては、図１に示すように、一定地域内における複数の中継拠点２ａ、２ｂのうちの少なくとも一つの中継拠点２ｂには、自己が管轄する各回収地点１からハッカー車等の小型回収車８で回収されたびん・缶や廃プラスチックの各廃棄物、及び一般中継施設３からコンテナ車９で搬入された各廃棄物を選別梱包して、コンテナ車９に搭載して、資源化施設５へ向けて搬出する選別梱包中継施設４が設置されている。
【００６２】
なお、選別梱包中継施設４は、選別梱包された各廃棄物を必要に応じて一時保管する機能も有している。さらに、この実施形態においては、この選別梱包中継施設４は、大部分の一般中継施設３より資源化施設５に近い位置に設定されている。
【００６３】
このように、一般中継施設３の他に、各廃棄物を選別梱包する機能を有した選別梱包中継施設４を設けることによって、専用の廃棄物の選別梱包及び一時保管の場所を資源化施設５の近傍位置に確保する必要がない。
【００６４】
したがって、少ない費用で効率的に、ハッカー車等の小型回収車８にて各回収地点１で回収された廃棄物を最終の資源化施設５において資源化処理を実施できる。
【００６５】
なお、選別梱包中継施設４が管轄する各回収地点１から小型回収車８で回収された可燃ゴミをコンテナ１３に詰替えてコンテナ車９で焼却施設６へ搬送することによって、焼却施設６が遠方に存在することによる可燃ゴミの輸送効率を向上できる。
【００６６】
【発明の効果】
以上説明したように、本発明の廃棄物の資源化システムにおいては、各回収地点から各廃棄物を収集する複数の中継拠点のうちの少なくとも一つの中継拠点には、自己が管轄する各回収地点から回収された各廃棄物及び一般中継施設から搬入された各廃棄物を選別梱包して資源化施設へ向けて搬出する選別梱包中継施設を設置している。
【００６７】
したがって、最終の資源化施設における処理負担を軽減できると共に、別途、廃棄物の選別梱包及び一時保管を実施するための場所を確保することなく、少ない費用で効率的に、各回収地点で回収された廃棄物を最終の資源化施設で資源化処理を実施できる。
【図面の簡単な説明】
【図１】本発明の一実施形態の廃棄物の資源化システムが適用される一定地域内における各施設の配置図
【図２】同実施形態の廃棄物の資源化システムにおける一方の各中継地点に設置された一般中継施設の平面図
【図３】同一般中継施設の概略構成を示す透視斜視図
【図４】同実施形態の廃棄物の資源化システムにおける他方の各中継地点に設置された選別梱包中継施設の平面図
【図５】同選別梱包中継施設の概略構成を示す透視斜視図
【図６】同選別梱包中継施設における作業工程手順を示す図
【符号の説明】
１…回収地点
２ａ、２ｂ…中継拠点
３…一般中継施設
４…選別梱包中継施設
５…資源化施設
６…焼却施設
７、１７…回収車受入ヤード
８…小型回収車
９…コンテナ車
１０、１９…コンテナ車搬出ヤード
１１…詰替えヤード
１２…一時保管ヤード
１３…コンテナ
１６、２６…立体式貯留施設
１８…コンテナ車受入ヤード
２０…空コンテナ車搬出ヤード
２５…移動ヤード
２９…梱包品貯留設備
３０…びん・缶用選別設備
４０…廃プラ用選別設備
４４ａ、４４ｂ…梱包機
４５…受入工程
４７…一時保管工程
４８…選別工程
４９ａ…圧縮梱包工程
４９ｂ…梱包工程
５０…梱包品一時保管工程
【図１】
2004189400.tif 000003
【図２】
2004189400.tif 000004
【図３】
2004189400.tif 000005
【図４】
2004189400.tif 000006
【図５】
2004189400.tif 000007
【図６】
2004189400.tif 000008